(57)【特許請求の範囲】
【請求項１】
一側開口を有するケース身と、このケース身に固定的に取り付けられる蓋体とから成る戸の錠箱に於いて、前記ケース身のアングル部分を基準として交差する垂直壁の内壁面にデッドボルトにかかる側圧を直接的に受ける側圧受板２１を添着し、この側圧受板は、ケース身の幅広の前記垂直壁の内壁面に固定される垂直板状の固定板部と、この固定板部に直交方向に連設すると共に、ケース身の前方側壁の内壁面に対面し、かつ、デッドボルト用の案内窓を有する垂直板状の囲い板部とから成り、前記側圧受板には、前記ケース身に形成された被係合部に係合する係止突片が設けられていることを特徴とする戸の錠箱の構造。
【請求項２】
請求項１に於いて、係止突片は、側圧受板の囲い板部の端部に形成され、一方、被係合部は、ケース身の前方側壁に形成されていることを特徴とする戸の錠箱の構造。
【請求項３】
請求項１に於いて、側圧受板の囲い板部の垂直端部には、蓋体の一端部に形成したストッパー孔に嵌入する係合突起を設けたことを特徴とする戸の錠箱の構造。
【発明の詳細な説明】
【０００１】
【発明の属する技術分野】
本発明は、戸の錠箱の構造に関し、特にデッドボルトからの側圧力に強い戸の錠箱の構造に関する。
【０００２】
【従来の技術】
例えば水平回転式戸の内壁面に取り付けられている錠前（当業者は「面付錠」と称している。）の錠箱は、普通一般に一側開口を有するケース身と、このケース身に固定的に取り付けられる蓋体とから成る。前記ケース身には、デッドボルトを始めとし、デッドボルトを案内する部材、デッドボルトが戸枠側の受け金具に係合した時にデッドボルトをロックするストッパー片、デッドボルトのロックを解消させて該デッドボルトを引き戻すサムターンなどが装着される。一方、蓋体は戸の内壁面に対面して取り付けられるので、蓋体側には戸の外壁面に突出するシリンダーが位置する（面付錠では、室内側からケース身の外壁やサムターンが見える）。
【０００３】
ところで、図１は実施形態の一例を示す模式図であるが、今仮に戸の内壁面に錠機構を有する錠箱が固定され、一方、戸枠側に端面アングル状の受け金具が固定されている場合に於いて、デッドボルトの施錠時、泥棒が室外側からバールを用いてデッドボルトに強度の側圧力をかけると、当該側圧力はケース身のデッド窓を形成する縁部に集中的にかかる。その結果、特に上下の角の縁部分が対角線方向に切り裂け、デッドボルトの側壁に直接押圧される縁部が、ケース身の幅広垂直壁の外壁面から膨れ上がるような格好で変形してしまうという問題点があった。
【０００４】
【発明が解決しようとする課題】
本発明の第１の目的は、室外側からデッドボルトに強度の側圧力がかかったとしても、ケース身のデッド窓を形成する縁部が容易に裂けない（縁部が強靭な）戸の錠箱の構造を提案することである。第２の目的は、デッドボルトにかかる強度の側圧力をケース身のデッド窓を形成する縁部以外に分散化させることである。第３の目的は、デッドボルトにかかる強度の側圧力をケース身のみならず蓋体にも分散拡大することである。第４の目的は、第１の目的を前提として、かつ、デッドボルトに交差した側圧力が錠箱のデッド窓の縁辺に集中してかかるのを防止することができる錠前用デッドボルトの構造を提供することである
【０００５】
【課題を解決するための手段】
本発明の戸の錠箱の構造は、一側開口を有するケース身と、このケース身に固定的に取り付けられる蓋体とから成る戸の錠箱に於いて、前記ケース身のアングル部分を基準として交差する垂直壁の内壁面にデッドボルトにかかる側圧を直接的に受ける側圧受板２１を添着し、この側圧受板は、ケース身の幅広の前記垂直壁の内壁面に固定される垂直板状の固定板部と、この固定板部に直交方向に連設すると共に、ケース身の前方側壁の内壁面に対面し、かつ、デッドボルト用の案内窓を有する垂直板状の囲い板部とから成り、前記側圧受板には、前記ケース身に形成された被係合部に係合する係止突片が設けられていることを特徴とする。
【０００６】
【発明の実施の形態】
図１乃至図６は、本発明の第１実施例を示す各説明図である。まず、模式的な図１を参照に実施形態を簡単に説明する。ａは戸、ｂは戸の内壁面、ｃは戸枠、ｄは受け金具、１は戸ａに取り付けられる錠箱である。戸ａは、例えば建物の出入口に取り付けられる回転式扉である。また錠箱１は、水平回転式戸ａの内壁面ｂに固定的に取り付けられる。錠箱１は、普通一般に、一側開口を有する弁当箱状のケース身２と、このケース身２に固定的に取り付けられる蓋体３とから成る。
【０００７】
しかして、図１ではケース身２の外壁やサムターンｅが見える。これに対して蓋体３は戸ａの内壁面ｂに対面しているので室内側からは見えない。そして、蓋体３から突出したシリンダーｆは、戸ａの外壁面側に位置している。
【０００８】
次に、図２乃至図６を参照にして前記ケース身２の各部位について説明する。５は蓋体３と対向する幅広垂直壁、６は幅広垂直壁５の一端部と直交する前方側壁、７は幅広垂直壁５の他端部と直交する（或いは前方側壁６と対向する）後方側壁、８は上端部と直交する上方側壁、９は幅広垂直壁５の下端部と直交する下方側壁である。したがって、前方側壁６、後方側壁７、上方側壁８、下方側壁９は、錠箱１の周側壁ということになる。
【０００９】
錠箱１にはデッドボルト１０が組み込まれる。本実施例では発明の特定要件に関係のない錠機構（ラッチボルト、ラッチ用窓、取り付け孔、軸孔なども含む）は省略する。
【００１０】
そこで、次に本発明の特徴部分について説明する。２１はケース身２の幅広垂直壁５の垂直内壁面５ａと前方側壁６の垂直内壁面６ａの両方に固定され、かつ、デッドボルト１０に室外側から図示しないバールなどによってかかる側圧力を直接受ける断面アング状の側圧受板である。この側圧受板２１は硬質の金属で形成されている。
【００１１】
しかして、側圧受板２１は、ケース身２の幅広垂直壁５の内壁面５ａに溶着される垂直板状の固定板部２２と、この固定板部２２に直交方向に連設すると共にケース身２の前方側壁６の内壁面６ａに対面し、かつ、デッドボルト用の案内窓２３を有する垂直板状の囲い板部２４とから成る。この側圧受板２１は、デッドボルト１０の側圧力をケース身のデッド窓を形成する縁部２ａなど共同して直接的に受けるケース身２の補強板としての機能を果す。
【００１２】
したがって、本実施例の端面Ｌ型側圧受板２１の固定板部２２は、図５で示すようにその折り曲げ部分２１ａとケース身２のデッド窓１１付近の縁部（アングル部分）２ａとの間に極力隙間ができないように溶着されている。
【００１３】
ところで、本実施例の側圧受板２１は、ケース身２のアングル部分２ａを基準として交差する垂直壁の内壁面に５ａ，６ａに単に添着されているだれではなく、さらにケース身２の強度を向上（アップ）させるために複数個の係止部２５を有している。すなわち、２５，２５は囲い板部２４の上下端部の中央部にそれぞれ突設され、かつ、ケース身２の前方側壁６のデッド窓１１付近に形成された上下の被係合部（係合孔、係合溝）１２にそれぞれ係合する係止突片である。
【００１４】
次に蓋体３について説明する。蓋体３はケース身２の一側開口４に嵌め合わせることができる大きさに形成されている。蓋体３は矩形状に形成され、その一端部にはケース身２の前方側壁６の上下端部寄りの部位に形成された複数個の受入孔１３，１３にそれぞれ嵌り合う差込部１４，１４が突設されている。
【００１５】
上記構成に於いて、側圧受板２１は、デッドボルト１０に対し、図４，図５の矢印Ａで示すように室外側から直交方向に力が加わった時に於いて、デッドボルト１０の側圧力を直接的に受けるケース身２の補強板としての機能を果す。
すなわち、今仮に泥棒が、戸ａと戸枠ｃとの隙間ｇにバールを差込み、デッドボルト１０に強い側圧力をかけた時、デッドボルト１０の垂直側壁面１０ａが側圧受板２１の案内窓２３の縁部２３ａと、ケース身２のデッド窓１１の縁部２ａの両方にかかる。
【００１６】
また同時に、ケース身２の前方側壁６には、側圧受板２１の係止部２５を介してデッドボルト１０の側圧力がかかる。したがって、デッドボルト１０に強度な側圧力がかかっても側圧受板２１並びにケース身２の前方側壁６の被係合部１２の縁部に側圧力が分散化し、ケース身２のデッド窓１１の縁部２ａのみに集中してかからない（側圧力の分散化）。
【００１７】
【実施例】
第１実施例に於いて、側圧受板２１の長さは、錠箱１の大きさに対応して任意に決められる。また錠箱１のケース身２がラッチボルト用の案内窓を有している場合、側圧受板２１には、デッドボルト１０用の案内窓２３と図示しないラッチボルト用の案内窓とが離間形成される。
【００１８】
次に、この欄では他の実施例を説明する。なお、他の実施例の説明にあたって、第１実施例と同一又は同様（機能が同一）の部分には、同一又は同様の符号を付し、重複する説明を省略する。
【００１９】
図７及び図８に示す第２実施例に於いて、第１実施例と主に異なる点は、デッドボルト１０からの側圧力を蓋体３Ａにも分散化するために、側圧受板２１Ａの囲い板部２４Ａの垂直端部に、蓋体３Ａの一端部に形成したストッパー孔３０に嵌入する係合突起３１を設けたことである（側圧力の分散の拡大化）。前記係合突起３１は、端面Ｚ型形状に形成されている。これにより、図８で示すように側圧受板２１Ａの囲い板部２４Ａをケース身２の前方側壁６の内壁面６ａにピッタリと合わせるようにして前記係合突起３１をストッパー孔３０に嵌入することができる。
【００２０】
上記のように構成すると、デッドボルト１０に矢印Ａ方向の力が加わった時、デッドボルト１０の側圧力によって側圧受板２１Ａの折り曲げ部分２１ａ等に矢印Ｂ方向への力が作用し、その結果、側圧受板２１Ａの囲い板部２４Ａに外方向への力（ここでは「ケース身の幅広垂直壁の外壁面から膨れ上がるような力」を意味する。）が加わっても、囲い板部２４Ａの係合突起３１が蓋体３Ａのストッパー孔３０に係止されるので、側圧受板２１Ａとケース身２と蓋体３Ａの三つの部材にデッドボルト１０の側圧力が分散化することになる。
【００２１】
図９及び至図１０は第３実施例を示す。この第３実施例は、第１実施例の目的を前提として、かつ、デッドボルトに交差した側圧力が錠箱のデッド窓の縁辺に集中してかかるのを防止することができる錠前用デッドボルトの構造を加味点に特長がある。
【００２２】
まず、デッドボルト１０Ａは、枠状胴体４０と、この枠状胴体４０の先端部４０ａに固定的に外嵌合するキャップ状の係合頭部４１とから成る。前記枠状胴体４０の挿入された先端部４０ａと係合頭部４１の内壁面との間に設定した間隙４２に板状の折り曲げ抑え片４３を固定的に嵌め込んでいる。この抑え片４３は、室外側から室内方向へとデッドボルトに対して工具による外圧が加わった時、換言すれば、デッドボルト１０Ａの垂直側壁面が側圧受板２１の案内窓２３の縁部２３ａにかかった時に、側圧受板２１を介し、又は直接的にデッド窓付近の錠箱の側壁に側圧力が加わるように係合頭部４１の水平壁から突出する抑え突起部分４４を有している。
【００２３】
しかして、前記抑え突起部分４４は、本実施例では、図１０で示すように下向きコ字型状に形成され、下端部は枠状胴体４０の上壁に形成した貫通状の嵌合部４５にしっかりと入り込んでいる。
【００２４】
このように構成すると、デッドボルト１０Ａの強度な側圧力が、デッドボルト１０Ａの羽部（抑え突起部分）４４を介して錠箱１の側壁（特にケース身の幅広垂直側壁）にかかるので、側圧受板２１と相俟って、より強靭な錠箱を得ることができる。
【００２５】
なお、前記第３実施例に於いて、デッドボルト１０Ａの抑え片４３は、図１１に示すように設計変更（シンプルな形状に）することができる。すなわち、図１１のデッドボルト１０Ｂは、枠状胴体４０Ｂと、この枠状胴体４０Ｂの先端部に固定的に外嵌合するキャップ状の係合頭部４１Ｂとから成る点は、前記第３実施例と同様であるが、前記枠状胴体４０Ｂの上壁に嵌合部４５Ｂ，４５Ｂを並列形成した点、これらの嵌合部４５Ｂ，４５Ｂに下向きコ字型の抑え片４３Ｂの突出下端部を固定的に嵌入した点、係合頭部４１Ｂの内壁面と枠状胴体４０Ｂの先端部の上壁との間に間隙を設定していない点が異なる。このように構成しても、第３実施例と同様に効果を得ることができる。
【００２６】
【発明の効果】
以上の説明から明らかなように、本発明にあっては、次に列挙するような効果がある。
（１）室外側からデッドボルトに強度の側圧力がかかったとしても、ケース身のデッド窓を形成する縁部が容易に裂けない（縁部が強靭な）戸の錠箱の構造を得ることができる。
（２）デッドボルトにかかる強度の側圧力をケース身のデッド窓を形成する縁部以外に分散化させることができる。
（３）デッドボルトにかかる強度の側圧力をケース身のみならず蓋体にも分散拡大することができる。
【図面の簡単な説明】
図１乃至図６は本発明の第１実施例を示す各概略説明図。図７及び図８は本発明の第２実施例を示す各概略説明図。図９及び図１０は本発明の第１実施例に構成要件を加味した第３実施例を示す各概略説明図。図１１は第３実施例の変形例を示す斜視図。
【図１】実施形態の一例を示す模式図。
【図２】分解斜視図。
【図３】図２の３−３線断面説明図。
【図４】主要部の斜視図（一部省略）。
【図５】組み合わせた状態の概略断面説明図。
【図６】図５の要部の説明図。
【図７】第２実施例の主要部の斜視図（一部省略）。
【図８】組み合わせた状態の概略断面説明図。
【図９】第１実施例に構成要件を加味した第３実施例の斜視図。
【図１０】第３実施例の概略断面説明図。
【図１１】第３実施例の変形例を示す斜視図。
【符号の説明】
１…錠箱、２…ケース身、２ａ…アングル部分（縁部）、３，３Ａ…蓋体、４…一側開口、５…幅広垂直壁、６…前方側壁、５ａ，６ａ…垂直内壁面、７…後方側壁、８…上方側壁、９…下方側壁、１０，１０Ａ，１０Ｂ…デッドボルト、１０ａ…垂直側壁面、１１…デッド窓、１２…被係合部、１３…受入孔、１４…差込部、２１，２１Ａ…側圧受板、２２…固定板部、２３…案内窓、２３ａ…縁部、２４，２４Ａ…囲い板部、２５…係止部、３０…ストッパー孔、３１…係合突起、４０，４０Ｂ…枠状胴体、４１，４１Ｂ…係合頭部、４２…間隙、４３，４３Ｂ…抑え片、４４…抑え突起部分、４５，４５Ｂ…嵌合部、Ａ，Ｂ…矢印。
【図１】
0004235390.tif 000002
【図２】
0004235390.tif 000003
【図３】
0004235390.tif 000004
【図４】
0004235390.tif 000005
【図５】
0004235390.tif 000006
【図６】
0004235390.tif 000007
【図７】
0004235390.tif 000008
【図８】
0004235390.tif 000009
【図９】
0004235390.tif 000010
【図１０】
0004235390.tif 000011
【図１１】
0004235390.tif 000012